(57)【要約】      （修正有）【課題】継手本体に取り付ける接続管が、先端に螺旋が設けられた電線管であっても、先端に螺旋が設けられていない電線管であっても、両方適用できる接続管挿入構造を提供する。【解決手段】接続管の端部が挿入される継手本体１００の内周に、環状のパッキン３００を嵌合するパッキン収容溝４００が設けられ、パッキン収容溝４００は、パッキン３００の底面３１１と対向する底部４１０と、パッキン３００の側面３１２と対向する側部４２０と、該側部４２０の周端から内周に突出した突出部４３０とからなり、突出部４３０と、パッキン収容溝４００に嵌合したパッキン３００の上面との間には、継手本体１００を接続管に取り付ける時に生じるパッキン３００のねじれ変形を吸収する間隙部５００が形成されている。【選択図】図３
2014035008.tif 000002
【特許請求の範囲】
【請求項１】
継手本体に接続管を取り付ける接続管挿入構造において、
前記接続管の端部が挿入される前記継手本体の内周に、環状のパッキンを嵌合するパッキン嵌合溝が設けられ、
前記パッキン収容溝は、前記パッキンの底面と対向する底部と、前記パッキンの側面と対向する側部と、該側部の周端から内周に突出した突出部とからなり、
前記突起部と、前記パッキン収容溝に嵌合した前記パッキンの前記パッキンの上面との間には、前記継手本体を前記接続管に取り付ける時に生じる前記パッキンのねじれ変形を吸収する間隙部が形成されていることを特徴とする接続管挿入構造。
【請求項２】
前記接続管の先端側の外周には、ねじ山が形成され、
前記継手本体は、金属からなり、該継手本体の内壁には、前記接続管に螺合するねじ山が設けられていることを特徴とする請求項１記載の接続管挿入構造。
【請求項３】
前記パッキンは弾性体からなり、前記パッキン収容部に接着されていることを特徴とする請求項１記載の接続管挿入構造。
【発明の詳細な説明】
【技術分野】
【０００１】
本発明は、継手本体に接続管を取り付ける接続管挿入構造に関するものである。
【背景技術】
【０００２】
継手本体に接続管を取り付ける接続管挿入構造として、例えば、特許文献１、２があり、この構成は次のようなものである。
【０００３】
特許文献１は、図４に示すように、継手本体１における前後両端部の外周面に雄ネジ９を一定長さＬ２だけ刻成すると共に、その雄ネジ９の奥部へ一定長さＬ３と雄ネジ９の山径よりも小さな外径Ｄ１の平滑な凹周面１０を並列状態に形成する。
【０００４】
さらに、図１１から図１８に示すように、継手本体１の雄ネジ９に沿って袋ナット１１の対応的な雌ネジ１２を螺進操作した最終時点に、その雌ネジ１２が雄ネジ９を乗り越えて非螺合状態となるようになっている。
【０００５】
この構成により、継手本体１に対する袋ナット１１の締付け力が一定不定となる基準を与えて、電線管の安定性・耐久性に富む抜け止め効果と防止効果を確保することができるものである。
【０００６】
また、特許文献２の構成は、図２に示すように、継手本体（１０）と、継手本体（１０）内に挿入される弾性パッキン（２０）と、弾性パッキン（２０）を介して継手本体（１０）の軸線方向から挿入されるカラーとからなる。
【０００７】
継手本体（１０）の所定位置にはねじ穴（１２）が設けられ、さらに、このねじ穴（１２）が連通するようにカラー（３０）の周壁には、キリ穴（３２、３３）が形成されている。
【０００８】
以上の構成により、カラー（３０）を装着後、ねじ穴（１２）を介して、継手本体（１０）にボルト（４０）がねじ込まれ、カラー（３０）のキリ穴（３２、３３）を通って、接続管（５０）の外表面に当接して、接続管（５０）を継手本体（１０）に固定させる。
【先行技術文献】
【特許文献】
【０００９】
【特許文献１】特開２０１２−３９８３８号公報
【特許文献２】特開２０００−６５２５９号公報
【発明の概要】
【発明が解決しようとする課題】
【００１０】
しかし、特許文献１の構成は、例えば、図１１の図示のように、継手本体１の雄ネジ９に、袋ナット１１の雌ネジ１２を、ねじ込んでいる間に、リングパッキング１６がめくり上がった状態で、継手本体１に袋ナット１１が締付けられ、電線管Ｐの表面にリングパッキン１６を均一に圧接させることができない問題を具備するものであった。
【００１１】
また、特許文献２の構成は、先端にねじ山が形成された接続管（５０）を、継手本体（１０）に固定する場合、接続管（５０）のねじ山が弾性パッキン（２０）に接触した状態で、この接続管（５０）を継手本体（１０）内に進入するため、弾性パッキン（２０）めくれ上がりやすくなるという問題があった。
【００１２】
このため、特許文献２は、接続管（５０）の先端にねじ山が無いもののみしか適用することができず、汎用性が乏しいものであった。
【課題を解決するための手段】
【００１３】
本発明は、請求項１においては、接続管の端部が挿入される継手本体の内周に、環状のパッキンを嵌合するパッキン収容溝が設けられ、パッキン収容溝は、パッキンの底面と対向する底部と、パッキンの側面と対向する側部と、該側部の周端から内周に突出した突出部とからなり、突起部と、パッキン収容溝に嵌合したパッキンの上面との間には、継手本体を接続管に取り付ける時に生じるパッキンのねじれ変形を吸収する間隙部が形成されていることを特徴とする。
【００１４】
また、請求項２記載の発明は、接続管の先端側の外周にはねじ山が形成され、継手本体は、金属からなり、この継手本体の内壁には、接続管に螺合するねじ山が設けられていることを特徴とする。さらに、請求項３記載の発明は、パッキンを弾性体とし、このパッキンをパッキン収容部に接着されていることを特徴とする。
【発明の効果】
【００１５】
本発明の接続管挿入構造は、継手本体を接続管に取り付け時に生じるパッキンのねじれの変形を間隙部により吸収することにより、接続管の表面にパッキンを均一に圧接することができる。また、接続管の先端にねじ山があるなしにかかわらず、接続管の表面にパッキンを均一に圧接することができ、継手本体に取り付ける接続管の汎用性を高めることができる。
【図面の簡単な説明】
【００１６】
【図１】本発明の接続管挿入構造の概略を示す図。
【図２】先端に螺旋が設けられた電線管を挿入する図。
【図３】図１の矢視Ａの部分拡大図である。
【図４】先端に螺旋が設けられていない電線を取付けた接続管挿入構造の概略を示す図。
【図５】先端に螺旋が設けられていない電線管を挿入する図。
【発明を実施するための形態】
【００１７】
以下、本発明の実施の形態を図面に基づいて説明する。図１に、本発明の接続管挿入構造の概略を示す。図１に示すように、この構造は、継手本体１００と接続管２００とパッキン３００とからなる。
【００１８】
継手本体１００は、亜鉛ダイカストからなり、挿入口１１０とパッキン収容溝４００とねじ穴と規制部１３０とからなる。なお、図１においては、左側しか図示されていないが、これに限定されることはなく、右側も同様な構成を設けても良い。
【００１９】
挿入口１１０は、接続管２００の先端を導入するものであり、接続管２００が継手本体１００に挿入して嵌められる程度の径を有する。ねじ穴は、継手本体１００に取り付けられた接続管２００を固定する固定ねじをねじ込んで入れるものである。
【００２０】
固定ねじは、ドライバやスパナ等で固定ねじを回す頭部と、ねじ穴のねじ山１２０と螺合する挿入部と、頭部と挿入部とを連結する連結部とからなる。固定ねじを回して接続管２００に所定のトルクがかかると、連結部は破断し、頭部と挿入部が分離するようになっている。この構成により、接続管２００に所定以上のトルクがかかるこが防止されて、適切なトルク管理を行うことができる。規制部１３０は、所定の位置で接続管２００の進入を規制するものであり、継手本体１００の内壁に突出して設けられている。
【００２１】
パッキン収容溝４００は、パッキン３００を遊嵌するものであり、接続管２００の端部が挿入される継手本体１００の内周に、設けられている。具体的にパッキン収容溝４００は、パッキン３００の底面３１１と対向する底部４１０と、パッキン３００の側面３１２と対向する側部４２０と、該側部４２０の周端から内周に突出した突出部とからなる。
【００２２】
図２に示すように、パッキン収容溝４００の側部４２０は、パッキン３００の厚みより深くなっている。これは、パッキン３００がパッキン収容溝４００に嵌った時に、僅かながたつき（遊び）が生じるようにするためである。突出部は、電線管を挿入時に、パッキン３００がパッキン収容溝４００から抜け出したり、パッキン３００がパッキン収容溝４００内でめくりあがらないようにしたりするものであり、側部４２０の周端から内周に突出している。
【００２３】
パッキン３００は、挿入した接続管２００の一定圧で気密・密着性を保つものであり、環状に形成され、熱可塑性エラストマー、アクリロニトリルブタジエンゴム（ＮＢＲ）、ゴム等の弾性体からなる。
【００２４】
さらに、パッキン３００は、本体部３１０と突部３２０とからなる。本体部３１０は、後に述べるパッキン収容溝４００に嵌り込む形状となっている。突部３２０は、パッキン収容溝４００から接続管２００側に延び、接続管２００が挿入した時に、常に、その表面に一定圧で接触する長さを有する。
【００２５】
なお、この実施の形態で、図１に示すように、突部３２０は一つしか図示されていないが、これに限定されることなく、挿入した接続管２００の一定圧で気密・密着性を保つものであれば、複数設けても、また突部３２０の形状を変形させても良い。
【００２６】
次に、本発明の接続管挿入構造の動作について説明する。はじめに、先端に螺旋が切られていない接続管２００を継手本体１００に取り付けることから説明する。
【００２７】
先ず、図４に示すように、継手本体１００の挿入口１１０に挿入し、さらに、接続管２００の先端が規制部１３０に突き当たるまで接続管２００を挿入する。この時、図５に示すように、継手本体１００のパッキン収容溝４００に嵌合したパッキン３００が、接続管２００の表面に一定圧で当圧する。さらに、継手本体１００の外側から固定ねじを回し、接続管２００に所定のトルクを作用させ、接続管２００を継手本体１００に固定する。
【００２８】
次に、先端に螺旋が切られた接続管２００を継手本体１００に取り付けることを説明する。図６に示すように、端に螺旋が切られていない接続管２００と同じように、継手本体１００の挿入口１１０に、接続管２００の先端が規制部１３０に突き当たるまで接続管２００を挿入する。
【００２９】
図５に示すように、接続管２００の先端が、規制部１３０に突き当たるまでの間、パッキン３００の突部３２０が螺旋の部分に引っ掛かる状態で、継手本体１００内に進入していく。この間、パッキン３００は接続管２００の挿入方向に、引っ張られ、本体部３１０がねじれ変形していく。さらに、この状況が進むと、パッキン収容溝４００から抜け出して、パッキン３００がめくれ上がろうとする。
【００３０】
しかし、図３に示すように、突出部を支点としてパッキン３００の周縁が押圧され、パッキン３００の本体部３１０の変形は間隙部５００内で生じることになる。この結果、パッキン収容溝４００から抜け出して、パッキン３００のめくり上がりが防止され、図１に示すように、パッキン３００がパッキン収容溝４００内に収まった状態且つ、パッキン３００の突部３２０が接続管２００の表面に一定圧で当圧する。
【００３１】
この後、継手本体１００の外側から固定ねじを回し、接続管２００に所定のトルクを作用させ、接続管２００を継手本体１００に固定して、接続管２００の取り付けが完了する。
【００３２】
以上のように、突起部と、パッキン収容溝に嵌合したパッキンの上面との間に間隙部を形成し、この間隙部で、継手本体を接続管に取り付ける時に生じるパッキンのねじれ変形を吸収することにより、先端に螺旋が設けられた電線管であっても、先端に螺旋が設けられていない電線管であっても、パッキンが捲れることなく、継手本体に取り付けることができる。
【産業上の利用可能性】
【００３３】
突起部と、パッキン収容溝に嵌合したパッキンの上面との間に、継手本体を接続管に取り付ける時に生じるパッキンのねじれ変形を吸収する間隙部を形成し、継手本体に取り付ける接続管が、先端に螺旋が設けられた電線管であっても、先端に螺旋が設けられていない電線管であっても、両方適用できる。
【符号の説明】
【００３４】
１００  継手本体
２００  接続管
２１０  ねじ山
３００  パッキン
３１１  底面
３１２  側面
４００  パッキン収容溝
４１０  底部
４２０  側部
４３０  突出部
５００  間隙部
【図１】
2014035008.tif 000003
【図２】
2014035008.tif 000004
【図３】
2014035008.tif 000005
【図４】
2014035008.tif 000006
【図５】
2014035008.tif 000007